(57)【要約】      （修正有）【課題】引出しが所定の位置に保持され、照明を点灯するインテリジェント引出しキャビネットを提供する。【解決手段】キャビネット主体１０を含み、前記キャビネット主体の中には上下の構造が同じである移動引き出し装置１００が設置され、前記移動引き出し装置は前方へ開口したスライドチャンバ１１を含み、前記スライドチャンバの中には引き出し１２がスライドできるように設置され、前記引き出しの前端面の中には制御ブロックが固定的に設置され、前記引き出しの下端にはスライド溝１４が形成されており、前記引き出しの左右端にはガイドブロック１５が固定的に設置され、本発明は構造が簡単で、制御ブロックによってモーターに異なる引き出しを開ける又は閉めることを駆動させ、引き出しが開けられた時、ＬＥＤライト３２は自動的につけられて照明でき、引き出しの中の物品を取ることに便利を与え、また引き出しが閉められた時にＬＥＤライトは消される。【選択図】図１
2020182809.tif 000002
【特許請求の範囲】
【請求項１】
正面視で、キャビネット主体を含み、
前記キャビネット主体の中には上下の構造が同じである移動引き出し装置が設置され、前記移動引き出し装置は前方へ開口したスライドチャンバを含み、
前記スライドチャンバの中には引き出しがスライドできるように設置され、前記引き出しの前端面の中には制御ブロックが固定的に設置され、前記引き出しの下端にはスライド溝が形成されており、前記引き出しの左右端にはガイドブロックが固定的に設置され、前記スライドチャンバの両側には回転チャンバが対称的に連通するように設置され、前記回転チャンバの中には前記引き出しの位置を固定できるロック装置が設置され、前記引き出しの中には物置きチャンバが設置され、前記物置きチャンバの後端壁の中にはＬＥＤライトが固定的に設置され、前記ＬＥＤライトの上端には通電ブロックが通電できるように連結され、前記スライドチャンバの上端壁の中には推しチャンバが連通するように設置され、前記推しチャンバの中には親ネジが回転できるように設置され、前記親ネジには推しブロックがネジ山によって連結され、前記推しブロックの中には前記通電ブロックと通電できるように連結された導電線が設置され、前記導電線の上側には前記導電線と通電できるように連結された電気接続ブロックが固定的に設置され、前記推しチャンバの前端壁の中には蓄電池が固定的に設置され、前記蓄電池と前記電気接続ブロックと挿入して連結されることができ、前記推しチャンバの後端壁の中には空き溝が連通するように形成されており、前記親ネジの後端が前記空き溝の中に伸びており、また前記親ネジの後端には第一ベベルギヤが固定的に設置され、前記空き溝の中には前記第一ベベルギヤと噛み合っている第二ベベルギヤがスプライン軸によって回転できるように設置され、
前記スライドチャンバの後側には駆動装置が設置され、上下の前記スプライン軸のうち互いに近接している一端が前記駆動装置と動力が伝達できるように連結されたことを特徴とするインテリジェント引出しキャビネット。
【請求項２】
前記電気接続ブロックには上下対称の電源挿入ブロックが通電できるように設置され、前記蓄電池の中には上下対称の電気接続溝が通電できるように形成されており、電源挿入ブロックが電気接続溝に差し込んで連結された時、前記電気接続ブロックと前記蓄電池とが通電することを特徴とする請求項１に記載のインテリジェント引出しキャビネット。
【請求項３】
前記ロック装置は前記回転チャンバの中に回転できるように設置された回転ロッドを含み、
前記回転ロッドの中には貫通溝が形成されており、前記回転チャンバのうち互いに離れている片側にはガイド溝が形成されており、前記ガイドブロックのうち互いに離れている一端が前記貫通溝を貫通して前記ガイド溝とスライドできるように連結され、前記回転ロッドの後端と前記回転チャンバとの間には回転ばねが固定的に設置され、前記回転チャンバの間には連通溝が連通するように形成されており、前記連通溝の中には左右両端がそれぞれ左右両側の前記回転ロッドと固定的に連結された連結軸が回転できるように設置され、
前記回転ロッドの後端面には固定フックが固定的に設置され、前記回転チャンバの後端壁の中にはロックチャンバが連通するように設置され、前記ロックチャンバの中には前記固定フックと引っ掛かるように連結されたロックフックが回転できるように設置され、前記ロックフックの上端面には固定ブロックが固定的に設置され、前記ロックチャンバの後側には空きチャンバが連通するように設置され、前記空きチャンバの中には前端が前記回転チャンバの中に伸びているスライドブロックがスライドできるように設置され、前記スライドブロックの前端と前記固定ブロックとの間には圧縮ばねが固定的に設置され、前記空きチャンバの中には上端が前記スライドブロックと回転できるように連結された回転板が回転できるように設置され、左右の前記空きチャンバの下側にはそれぞれ推し溝が連通するように形成されており、前記推し溝の前端の間には圧縮溝が連通するように形成されており、
前記圧縮溝の中には後方に開口したＵ型ロッドがスライドできるように設置され、前記Ｕ型ロッドの左右両端がそれぞれ左右両側の前記推し溝とスライドできるように連結され、また前記Ｕ型ロッドの後端と左右の前記推し溝との間にはそれぞれトーションばねが固定的に設置され、前記圧縮溝の中には上端が前記スライド溝の中に伸びている圧力かけブロックがスライドできるように設置され、前記圧力かけブロックの下端と前記圧縮溝の下端壁との間には押圧ばねが固定的に設置され、前記圧力かけブロックの下端が前記Ｕ型ロッドの前端とコンロッドによって回転できるように連結されたことを特徴とする請求項１に記載のインテリジェント引出しキャビネット。
【請求項４】
前記ロックフックの後端面は圧力受け斜面構造であり、前記スライドブロックの前端が加圧斜面構造であり、加圧斜面が圧力受け斜面と当接するように連結されたことを特徴とする請求項３に記載のインテリジェント引出しキャビネット。
【請求項５】
前記駆動装置は移動チャンバを含み、
前記移動チャンバの中には移動ブロックがスライドできるように設置され、前記移動ブロックの中には前記制御ブロックに制御されるモーターが固定的に設置され、前記モーターの上下端にはそれぞれネジ軸が動力が伝達できるように連結され、
前記移動チャンバの上下端壁の中にはネジ溝が連通するように形成されており、前記ネジ溝と前記空き溝との間には連通チャンバが連通するように設置され、前記ネジ軸のうち前記移動ブロックから離れている一端が前記ネジ溝を貫通して前記連通チャンバの中に伸びており、上下の前記スプライン軸のうち互いに近接している一端が前記連通チャンバの中に伸びて前記ネジ軸とスプラインによって連結されることができることを特徴とする請求項１に記載のインテリジェント引出しキャビネット。
【請求項６】
前記ネジ軸が前記ネジ溝とネジ山によって連結されたことを特徴とする請求項５に記載のインテリジェント引出しキャビネット。
【発明の詳細な説明】
【技術分野】
【０００１】
本発明はインテリジェント家具技術分野に関わり、具体的にはインテリジェント引出しキャビネットである。
【背景技術】
【０００２】
既存の引出しキャビネットの中の引き出しは閉められた後、開ける又は閉める回数が増えるにつれて、引き出しが引出しキャビネット主体を滑り出やすくなり、そのほか、引き出しを開けた後、その後側は依然として引出しキャビネット主体の中に位置しており、物を取る又は探す時、照明装置のサポートが必要となり、本発明は上記の問題を解決できる本装置を開示する。
【先行技術文献】
【特許文献】
【０００３】
【特許文献１】中国特許出願公開第１０５３５６３５１号明細書
【発明の概要】
【発明が解決しようとする課題】
【０００４】
本発明はインテリジェント引出しキャビネットを提供し、既存技術にある上記の欠点を解消することを目的とする。
【課題を解決するための手段】
【０００５】
本発明の実施例のインテリジェント引出しキャビネットは、キャビネット主体を含み、前記キャビネット主体の中には上下の構造が同じである移動引き出し装置が設置され、前記移動引き出し装置は前方へ開口したスライドチャンバを含み、前記スライドチャンバの中には引き出しがスライドできるように設置され、前記引き出しの前端面の中には制御ブロックが固定的に設置され、前記引き出しの下端にはスライド溝が形成されており、前記引き出しの左右端にはガイドブロックが固定的に設置され、前記スライドチャンバの両側には回転チャンバが対称的に連通するように設置され、前記回転チャンバの中には前記引き出しの位置を固定できるロック装置が設置され、前記引き出しの中には物置きチャンバが設置され、前記物置きチャンバの後端壁の中にはＬＥＤライトが固定的に設置され、前記ＬＥＤライトの上端には通電ブロックが通電できるように連結され、前記スライドチャンバの上端壁の中には推しチャンバが連通するように設置され、前記推しチャンバの中には親ネジが回転できるように設置され、前記親ネジには推しブロックがネジ山によって連結され、前記推しブロックの中には前記通電ブロックと通電できるように連結された導電線が設置され、前記導電線の上側には前記導電線と通電できるように連結された電気接続ブロックが固定的に設置され、前記推しチャンバの前端壁の中には蓄電池が固定的に設置され、前記蓄電池と前記電気接続ブロックと挿入して連結されることができ、前記推しチャンバの後端壁の中には空き溝が連通するように形成されており、前記親ネジの後端が前記空き溝の中に伸びており、また前記親ネジの後端には第一ベベルギヤが固定的に設置され、前記空き溝の中には前記第一ベベルギヤと噛み合っている第二ベベルギヤがスプライン軸によって回転できるように設置され、前記スライドチャンバの後側には駆動装置が設置され、上下の前記スプライン軸のうち互いに近接している一端が前記駆動装置と動力が伝達できるように連結され、前記制御ブロックは指令を受けた後に前記駆動装置を制御して作動させ、前記駆動装置は前記引き出しを開ける又は閉めることと前記ＬＥＤライトをつける又は消すことを駆動する。
【０００６】
さらなる技術プランには、前記電気接続ブロックには上下対称の電源挿入ブロックが通電できるように設置され、前記蓄電池の中には上下対称の電気接続溝が通電できるように形成されており、電源挿入ブロックが電気接続溝に差し込んで連結された時、前記電気接続ブロックと前記蓄電池とが通電する。
【０００７】
さらなる技術プランには、前記ロック装置は前記回転チャンバの中に回転できるように設置された回転ロッドを含み、前記回転ロッドの中には貫通溝が形成されており、前記回転チャンバのうち互いに離れている片側にはガイド溝が形成されており、前記ガイドブロックのうち互いに離れている一端が前記貫通溝を貫通して前記ガイド溝とスライドできるように連結され、前記回転ロッドの後端と前記回転チャンバとの間には回転ばねが固定的に設置され、前記回転チャンバの間には連通溝が連通するように形成されており、前記連通溝の中には左右両端がそれぞれ左右両側の前記回転ロッドと固定的に連結された連結軸が回転できるように設置され、前記回転ロッドの後端面には固定フックが固定的に設置され、前記回転チャンバの後端壁の中にはロックチャンバが連通するように設置され、前記ロックチャンバの中には前記固定フックと引っ掛かるように連結されたロックフックが回転できるように設置され、前記ロックフックの上端面には固定ブロックが固定的に設置され、前記ロックチャンバの後側には空きチャンバが連通するように設置され、前記空きチャンバの中には前端が前記回転チャンバの中に伸びているスライドブロックがスライドできるように設置され、前記スライドブロックの前端と前記固定ブロックとの間には圧縮ばねが固定的に設置され、前記空きチャンバの中には上端が前記スライドブロックと回転できるように連結された回転板が回転できるように設置され、左右の前記空きチャンバの下側にはそれぞれ推し溝が連通するように形成されており、前記推し溝の前端の間には圧縮溝が連通するように形成されており、前記圧縮溝の中には後方に開口したＵ型ロッドがスライドできるように設置され、前記Ｕ型ロッドの左右両端がそれぞれ左右両側の前記推し溝とスライドできるように連結され、また前記Ｕ型ロッドの後端と左右の前記推し溝との間にはそれぞれトーションばねが固定的に設置され、前記圧縮溝の中には上端が前記スライド溝の中に伸びている圧力かけブロックがスライドできるように設置され、前記圧力かけブロックの下端と前記圧縮溝の下端壁との間には押圧ばねが固定的に設置され、前記圧力かけブロックの下端が前記Ｕ型ロッドの前端とコンロッドによって回転できるように連結され、前記圧力かけブロックが下降して伝動によって前記ロックフックが前記固定フックから離脱し、それによって前記回転ロッドを開錠できる。
【０００８】
さらなる技術プランには、前記ロックフックの後端面は圧力受け斜面構造であり、前記スライドブロックの前端が加圧斜面構造であり、加圧斜面が圧力受け斜面と当接するように連結され、それによって前記スライドブロックが前方へ移動すると、前記ロックフックが回転して前記固定フックとの連結から離脱することができる。
【０００９】
さらなる技術プランには、前記駆動装置は移動チャンバを含み、前記移動チャンバの中には移動ブロックがスライドできるように設置され、前記移動ブロックの中には前記制御ブロックに制御されるモーターが固定的に設置され、前記モーターの上下端にはそれぞれネジ軸が動力が伝達できるように連結され、前記移動チャンバの上下端壁の中にはネジ溝が連通するように形成されており、前記ネジ溝と前記空き溝との間には連通チャンバが連通するように設置され、前記ネジ軸のうち前記移動ブロックから離れている一端が前記ネジ溝を貫通して前記連通チャンバの中に伸びており、上下の前記スプライン軸のうち互いに近接している一端が前記連通チャンバの中に伸びて前記ネジ軸とスプラインによって連結されることができ、前記モーターが作動してそれぞれ上下の前記移動引き出し装置を駆動して独立に作動させる。
【００１０】
さらなる技術プランには、前記ネジ軸が前記ネジ溝とネジ山によって連結された。
【発明の効果】
【００１１】
本発明の有益な効果は：本発明は構造が簡単で、操作が便利であり、制御ブロックによってモーターに異なる引き出しを開ける又は閉めることを駆動させ、引き出しが開けられた時、ＬＥＤライトは自動的につけられて照明でき、引き出しの中の物品を取ることに便利を与え、また引き出しが閉められた時にＬＥＤライトも消され、引き出しが閉められた後にキャビネット主体とロックされるように連結され、装置の安定性を高め、使用は便利である。
【図面の簡単な説明】
【００１２】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明のインテリジェント引出しキャビネットの使用した装置の内部全体構造略図
【図２】図２は本発明の中の図１の中の「Ａ―Ａ」方向の構造略図
【図３】図３は本発明の中の図１の中の「Ｂ―Ｂ」方向の構造略図
【図４】図４は本発明の中の図２の中の「Ｃ」の拡大構造略図
【図５】図５は本発明の中の図２の中の「Ｄ」の拡大構造略図
【発明を実施するための形態】
【００１４】
図１〜５を参照し、本発明の実施例のインテリジェント引出しキャビネットは、キャビネット主体１０を含み、前記キャビネット主体１０の中には上下の構造が同じである移動引き出し装置１００が設置され、前記移動引き出し装置１００は前方へ開口したスライドチャンバ１１を含み、前記スライドチャンバ１１の中には引き出し１２がスライドできるように設置され、前記引き出し１２の前端面の中には制御ブロック２１が固定的に設置され、前記引き出し１２の下端にはスライド溝１４が形成されており、前記引き出し１２の左右端にはガイドブロック１５が固定的に設置され、前記スライドチャンバ１１の両側には回転チャンバ１６が対称的に連通するように設置され、前記回転チャンバ１６の中には前記引き出し１２の位置を固定できるロック装置２００が設置され、前記引き出し１２の中には物置きチャンバ１３が設置され、前記物置きチャンバ１３の後端壁の中にはＬＥＤライト３２が固定的に設置され、前記ＬＥＤライト３２の上端には通電ブロック３１が通電できるように連結され、前記スライドチャンバ１１の上端壁の中には推しチャンバ２３が連通するように設置され、前記推しチャンバ２３の中には親ネジ２４が回転できるように設置され、前記親ネジ２４には推しブロック２７がネジ山によって連結され、前記推しブロック２７の中には前記通電ブロック３１と通電できるように連結された導電線３０が設置され、前記導電線３０の上側には前記導電線３０と通電できるように連結された電気接続ブロック２８が固定的に設置され、前記推しチャンバ２３の前端壁の中には蓄電池２５が固定的に設置され、前記蓄電池２５と前記電気接続ブロック２８と挿入して連結されることができ、前記推しチャンバ２３の後端壁の中には空き溝３３が連通するように形成されており、前記親ネジ２４の後端が前記空き溝３３の中に伸びており、また前記親ネジ２４の後端には第一ベベルギヤ３４が固定的に設置され、前記空き溝３３の中には前記第一ベベルギヤ３４と噛み合っている第二ベベルギヤ３５がスプライン軸３６によって回転できるように設置され、前記スライドチャンバ１１の後側には駆動装置３００が設置され、上下の前記スプライン軸３６のうち互いに近接している一端が前記駆動装置３００と動力が伝達できるように連結され、前記制御ブロック２１は指令を受けた後に前記駆動装置３００を制御して作動させ、前記駆動装置３００は前記引き出し１２を開ける又は閉めることと前記ＬＥＤライト３２をつける又は消すことを駆動する。
【００１５】
有益なように、前記電気接続ブロック２８には上下対称の電源挿入ブロックが通電できるように設置され、前記蓄電池２５の中には上下対称の電気接続溝が通電できるように形成されており、電源挿入ブロックが電気接続溝に差し込んで連結された時、前記電気接続ブロック２８と前記蓄電池２５とが通電する。
【００１６】
実施例によって、以下、前記ロック装置２００について詳しく説明し、前記ロック装置２００は前記回転チャンバ１６の中に回転できるように設置された回転ロッド１８を含み、前記回転ロッド１８の中には貫通溝２２が形成されており、前記回転チャンバ１６のうち互いに離れている片側にはガイド溝１７が形成されており、前記ガイドブロック１５のうち互いに離れている一端が前記貫通溝２２を貫通して前記ガイド溝１７とスライドできるように連結され、前記回転ロッド１８の後端と前記回転チャンバ１６との間には回転ばね５８が固定的に設置され、前記回転チャンバ１６の間には連通溝１９が連通するように形成されており、前記連通溝１９の中には左右両端がそれぞれ左右両側の前記回転ロッド１８と固定的に連結された連結軸２０が回転できるように設置され、前記回転ロッド１８の後端面には固定フック５７が固定的に設置され、前記回転チャンバ１６の後端壁の中にはロックチャンバ５３が連通するように設置され、前記ロックチャンバ５３の中には前記固定フック５７と引っ掛かるように連結されたロックフック５４が回転できるように設置され、前記ロックフック５４の上端面には固定ブロック５５が固定的に設置され、前記ロックチャンバ５３の後側には空きチャンバ５０が連通するように設置され、前記空きチャンバ５０の中には前端が前記回転チャンバ１６の中に伸びているスライドブロック５２がスライドできるように設置され、前記スライドブロック５２の前端と前記固定ブロック５５との間には圧縮ばね５６が固定的に設置され、前記空きチャンバ５０の中には上端が前記スライドブロック５２と回転できるように連結された回転板５１が回転できるように設置され、左右の前記空きチャンバ５０の下側にはそれぞれ推し溝４８が連通するように形成されており、前記推し溝４８の前端の間には圧縮溝４４が連通するように形成されており、前記圧縮溝４４の中には後方に開口したＵ型ロッド４６がスライドできるように設置され、前記Ｕ型ロッド４６の左右両端がそれぞれ左右両側の前記推し溝４８とスライドできるように連結され、また前記Ｕ型ロッド４６の後端と左右の前記推し溝４８との間にはそれぞれトーションばね４９が固定的に設置され、前記圧縮溝４４の中には上端が前記スライド溝１４の中に伸びている圧力かけブロック４３がスライドできるように設置され、前記圧力かけブロック４３の下端と前記圧縮溝４４の下端壁との間には押圧ばね４７が固定的に設置され、前記圧力かけブロック４３の下端が前記Ｕ型ロッド４６の前端とコンロッド４５によって回転できるように連結され、前記圧力かけブロック４３が下降して伝動によって前記ロックフック５４が前記固定フック５７から離脱し、それによって前記回転ロッド１８を開錠できる。
【００１７】
有益なように、前記ロックフック５４の後端面は圧力受け斜面構造であり、前記スライドブロック５２の前端が加圧斜面構造であり、加圧斜面が圧力受け斜面と当接するように連結され、それによって前記スライドブロック５２が前方へ移動すると、前記ロックフック５４が回転して前記固定フック５７との連結から離脱することができる。
【００１８】
実施例によって、以下、前記駆動装置３００について詳しく説明し、前記駆動装置３００は移動チャンバ４０を含み、前記移動チャンバ４０の中には移動ブロック４１がスライドできるように設置され、前記移動ブロック４１の中には前記制御ブロック２１に制御されるモーター４２が固定的に設置され、前記モーター４２の上下端にはそれぞれネジ軸３８が動力が伝達できるように連結され、前記移動チャンバ４０の上下端壁の中にはネジ溝３９が連通するように形成されており、前記ネジ溝３９と前記空き溝３３との間には連通チャンバ３７が連通するように設置され、前記ネジ軸３８のうち前記移動ブロック４１から離れている一端が前記ネジ溝３９を貫通して前記連通チャンバ３７の中に伸びており、上下の前記スプライン軸３６のうち互いに近接している一端が前記連通チャンバ３７の中に伸びて前記ネジ軸３８とスプラインによって連結されることができ、前記モーター４２が作動してそれぞれ上下の前記移動引き出し装置１００を駆動して独立に作動させる。
【００１９】
有益なように、前記ネジ軸３８が前記ネジ溝３９とネジ山によって連結され、それによってモーター４２が作動して前記ネジ軸３８を駆動して回転させる過程には、前記移動ブロック４１が上方へ又は下方へ移動できる。
【００２０】
以下、図１〜５をあわせて本出願のインテリジェント引出しキャビネットの使用ステップについて詳しく説明する：
【００２１】
初期状態の時、固定フック５７がロックフック５４と引っ掛かるように連結され、回転ばね５８が圧縮状態にある。
【００２２】
上側又は下側の引き出し１２を開けた時、音声で始動して引き出し１２にある制御ブロック２１に指令を出し、上側の引き出し１２を開けると、モーター４２が時計回り方向に回転してネジ軸３８を駆動して回転させ、ネジ溝３９の作用の下で移動ブロック４１が上方へ移動し、それによってネジ軸３８がスプライン軸３６とスプラインによって連結され、モーター４２がスプライン軸３６を駆動して回転させ、それによって第一ベベルギヤ３４が親ネジ２４を回転連動させ、それによって推しブロック２７が前方へ推しチャンバ２３の前側の極限位置に移動し、それによって引き出し１２の下端壁が圧力かけブロック４３に圧力をかけて下降させ、コンロッド４５によってＵ型ロッド４６が後方へ移動し、回転板５１によってスライドブロック５２が前方へ移動し、圧縮ばね５６の作用の下でロックフック５４を推し動かして前方へ移動させ、ロックフック５４が前方へ極限位置に移動した時、スライドブロック５２の継続の前方への移動と共に、ロックフック５４が右側面から見る時計回り方向に回転して固定フック５７との引っかかりから離脱し、それによって回転ロッド１８が回転ばね５８の作用の下で右側面から見る反時計回り方向に回転し、それによって引き出し１２をそれとともに外部空間に押し出し、この時、電気接続ブロック２８が蓄電池２５と差し込んで連結され、導電線３０によって通電ブロック３１が通電し、それによってＬＥＤライト３２が光って物置きチャンバ１３を照明でき、物置きチャンバ１３の中の物品を探す又は取ることに便利を与える。
【００２３】
引き出し１２を閉めた時、モーター４２が反転し、それによって親ネジ２４が反時計回り方向に回転し、それによって推しブロック２７が引き出し１２を推し動かして後方へ移動させ、ＬＥＤライト３２を消し、回転ロッド１８が初期位置に回転し、固定フック５７とロックフック５４とが引っ掛かるように連結されたことによって回転ロッド１８をロックし、装置は初期状態に戻る。
【００２４】
本発明の有益な効果は：本発明は構造が簡単で、操作が便利であり、制御ブロックによってモーターに異なる引き出しを開ける又は閉めることを駆動させ、引き出しが開けられた時、ＬＥＤライトは自動的につけられて照明でき、引き出しの中の物品を取ることに便利を与え、また引き出しが閉められた時にＬＥＤライトも消され、引き出しが閉められた後にキャビネット主体とロックされるように連結され、装置の安定性を高め、使用は便利である。
【００２５】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020182809.tif 000003
【図２】
2020182809.tif 000004
【図３】
2020182809.tif 000005
【図４】
2020182809.tif 000006
【図５】
2020182809.tif 000007
【手続補正書】
【提出日】令和1年10月11日(2019.10.11)
【手続補正１】
【補正対象書類名】特許請求の範囲
【補正対象項目名】請求項１
【補正方法】変更
【補正の内容】
【請求項１】
正面視で、キャビネット主体を含み、
前記キャビネット主体の中には上下の構造が同じである移動引き出し装置が設置され、前記移動引き出し装置は前方へ開口したスライドチャンバを含み、
前記スライドチャンバの中には引き出しがスライドできるように設置され、前記引き出しの前端面の中には制御ブロックが固定的に設置され、前記引き出しの下端にはスライド溝が形成されており、前記引き出しの左右端にはガイドブロックが固定的に設置され、前記スライドチャンバの両側には回転チャンバが対称的に連通するように設置され、前記回転チャンバの中には前記引き出しの位置を固定できるロック装置が設置され、前記引き出しの中には物置きチャンバが設置され、前記物置きチャンバの後端壁の中にはＬＥＤライトが固定的に設置され、前記ＬＥＤライトの上端には通電ブロックが通電できるように連結され、前記スライドチャンバの上端壁の中には推しチャンバが連通するように設置され、前記推しチャンバの中には親ネジが回転できるように設置され、前記親ネジには推しブロックがネジ山によって連結され、前記推しブロックの中には前記通電ブロックと通電できるように連結された導電線が設置され、前記導電線の上側には前記導電線と通電できるように連結された電気接続ブロックが固定的に設置され、前記推しチャンバの前端壁の中には蓄電池が固定的に設置され、前記蓄電池が前記電気接続ブロックと連結でき、前記推しチャンバの後端壁の中には空き溝が連通するように形成されており、前記親ネジの後端が前記空き溝の中に伸びており、また前記親ネジの後端には第一ベベルギヤが固定的に設置され、前記空き溝の中には前記第一ベベルギヤと噛み合っている第二ベベルギヤがスプライン軸によって回転できるように設置され、
前記スライドチャンバの後側には駆動装置が設置され、上下の前記スプライン軸のうち互いに近接している一端が前記駆動装置と動力が伝達できるように連結されたことを特徴とするインテリジェント引出しキャビネット。
【手続補正２】
【補正対象書類名】明細書
【補正対象項目名】全文
【補正方法】変更
【補正の内容】
【発明の詳細な説明】
【技術分野】
【０００１】
本発明はインテリジェント家具技術分野に関わり、具体的にはインテリジェント引出しキャビネットである。
【背景技術】
【０００２】
既存の引出しキャビネットの中の引き出しは閉められた後、開ける又は閉める回数が増えるにつれて、引き出しが引出しキャビネット主体を滑り出やすくなり、そのほか、引き出しを開けた後、その後側は依然として引出しキャビネット主体の中に位置しており、物を取る又は探す時、照明装置のサポートが必要となり、本発明は上記の問題を解決できる本装置を開示する。
【先行技術文献】
【特許文献】
【０００３】
【特許文献１】中国特許出願公開第１０５３５６３５１号明細書
【発明の概要】
【発明が解決しようとする課題】
【０００４】
本発明はインテリジェント引出しキャビネットを提供し、既存技術にある上記の欠点を解消することを目的とする。
【課題を解決するための手段】
【０００５】
本発明の実施例のインテリジェント引出しキャビネットは、キャビネット主体を含み、前記キャビネット主体の中には上下の構造が同じである移動引き出し装置が設置され、前記移動引き出し装置は前方へ開口したスライドチャンバを含み、前記スライドチャンバの中には引き出しがスライドできるように設置され、前記引き出しの前端面の中には制御ブロックが固定的に設置され、前記引き出しの下端にはスライド溝が形成されており、前記引き出しの左右端にはガイドブロックが固定的に設置され、前記スライドチャンバの両側には回転チャンバが対称的に連通するように設置され、前記回転チャンバの中には前記引き出しの位置を固定できるロック装置が設置され、前記引き出しの中には物置きチャンバが設置され、前記物置きチャンバの後端壁の中にはＬＥＤライトが固定的に設置され、前記ＬＥＤライトの上端には通電ブロックが通電できるように連結され、前記スライドチャンバの上端壁の中には推しチャンバが連通するように設置され、前記推しチャンバの中には親ネジが回転できるように設置され、前記親ネジには推しブロックがネジ山によって連結され、前記推しブロックの中には前記通電ブロックと通電できるように連結された導電線が設置され、前記導電線の上側には前記導電線と通電できるように連結された電気接続ブロックが固定的に設置され、前記推しチャンバの前端壁の中には蓄電池が固定的に設置され、前記蓄電池が前記電気接続ブロックと連結でき、前記推しチャンバの後端壁の中には空き溝が連通するように形成されており、前記親ネジの後端が前記空き溝の中に伸びており、また前記親ネジの後端には第一ベベルギヤが固定的に設置され、前記空き溝の中には前記第一ベベルギヤと噛み合っている第二ベベルギヤがスプライン軸によって回転できるように設置され、前記スライドチャンバの後側には駆動装置が設置され、上下の前記スプライン軸のうち互いに近接している一端が前記駆動装置と動力が伝達できるように連結され、前記制御ブロックは指令を受けた後に前記駆動装置を制御して作動させ、前記駆動装置は前記引き出しを開ける又は閉めることと前記ＬＥＤライトをつける又は消すことを駆動する。
【０００６】
さらなる技術プランには、前記電気接続ブロックには上下対称の電源挿入ブロックが通電できるように設置され、前記蓄電池の中には上下対称の電気接続溝が通電できるように形成されており、電源挿入ブロックが電気接続溝に差し込んで連結された時、前記電気接続ブロックと前記蓄電池とが通電する。
【０００７】
さらなる技術プランには、前記ロック装置は前記回転チャンバの中に回転できるように設置された回転ロッドを含み、前記回転ロッドの中には貫通溝が形成されており、前記回転チャンバのうち互いに離れている片側にはガイド溝が形成されており、前記ガイドブロックのうち互いに離れている一端が前記貫通溝を貫通して前記ガイド溝とスライドできるように連結され、前記回転ロッドの後端と前記回転チャンバとの間には回転ばねが固定的に設置され、前記回転チャンバの間には連通溝が連通するように形成されており、前記連通溝の中には左右両端がそれぞれ左右両側の前記回転ロッドと固定的に連結された連結軸が回転できるように設置され、前記回転ロッドの後端面には固定フックが固定的に設置され、前記回転チャンバの後端壁の中にはロックチャンバが連通するように設置され、前記ロックチャンバの中には前記固定フックと引っ掛かるように連結されたロックフックが回転できるように設置され、前記ロックフックの上端面には固定ブロックが固定的に設置され、前記ロックチャンバの後側には空きチャンバが連通するように設置され、前記空きチャンバの中には前端が前記回転チャンバの中に伸びているスライドブロックがスライドできるように設置され、前記スライドブロックの前端と前記固定ブロックとの間には圧縮ばねが固定的に設置され、前記空きチャンバの中には上端が前記スライドブロックと回転できるように連結された回転板が回転できるように設置され、左右の前記空きチャンバの下側にはそれぞれ推し溝が連通するように形成されており、前記推し溝の前端の間には圧縮溝が連通するように形成されており、前記圧縮溝の中には後方に開口したＵ型ロッドがスライドできるように設置され、前記Ｕ型ロッドの左右両端がそれぞれ左右両側の前記推し溝とスライドできるように連結され、また前記Ｕ型ロッドの後端と左右の前記推し溝との間にはそれぞれトーションばねが固定的に設置され、前記圧縮溝の中には上端が前記スライド溝の中に伸びている圧力かけブロックがスライドできるように設置され、前記圧力かけブロックの下端と前記圧縮溝の下端壁との間には押圧ばねが固定的に設置され、前記圧力かけブロックの下端が前記Ｕ型ロッドの前端とコンロッドによって回転できるように連結され、前記圧力かけブロックが下降して伝動によって前記ロックフックが前記固定フックから離脱し、それによって前記回転ロッドを開錠できる。
【０００８】
さらなる技術プランには、前記ロックフックの後端面は圧力受け斜面構造であり、前記スライドブロックの前端が加圧斜面構造であり、加圧斜面が圧力受け斜面と当接するように連結され、それによって前記スライドブロックが前方へ移動すると、前記ロックフックが回転して前記固定フックとの連結から離脱することができる。
【０００９】
さらなる技術プランには、前記駆動装置は移動チャンバを含み、前記移動チャンバの中には移動ブロックがスライドできるように設置され、前記移動ブロックの中には前記制御ブロックに制御されるモーターが固定的に設置され、前記モーターの上下端にはそれぞれネジ軸が動力が伝達できるように連結され、前記移動チャンバの上下端壁の中にはネジ溝が連通するように形成されており、前記ネジ溝と前記空き溝との間には連通チャンバが連通するように設置され、前記ネジ軸のうち前記移動ブロックから離れている一端が前記ネジ溝を貫通して前記連通チャンバの中に伸びており、上下の前記スプライン軸のうち互いに近接している一端が前記連通チャンバの中に伸びて前記ネジ軸とスプラインによって連結されることができ、前記モーターが作動してそれぞれ上下の前記移動引き出し装置を駆動して独立に作動させる。
【００１０】
さらなる技術プランには、前記ネジ軸が前記ネジ溝とネジ山によって連結された。
【発明の効果】
【００１１】
本発明の有益な効果は：本発明は構造が簡単で、操作が便利であり、制御ブロックによってモーターに異なる引き出しを開ける又は閉めることを駆動させ、引き出しが開けられた時、ＬＥＤライトは自動的につけられて照明でき、引き出しの中の物品を取ることに便利を与え、また引き出しが閉められた時にＬＥＤライトも消され、引き出しが閉められた後にキャビネット主体とロックされるように連結され、装置の安定性を高め、使用は便利である。
【図面の簡単な説明】
【００１２】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明のインテリジェント引出しキャビネットの使用した装置の内部    全体構造略図
【図２】図２は本発明の中の図１の中の「Ａ―Ａ」方向の構造略図
【図３】図３は本発明の中の図１の中の「Ｂ―Ｂ」方向の構造略図
【図４】図４は本発明の中の図２の中の「Ｃ」の拡大構造略図
【図５】図５は本発明の中の図２の中の「Ｄ」の拡大構造略図
【発明を実施するための形態】
【００１４】
図１〜５を参照し、本発明の実施例のインテリジェント引出しキャビネットは、キャビネット主体１０を含み、前記キャビネット主体１０の中には上下の構造が同じである移動引き出し装置１００が設置され、前記移動引き出し装置１００は前方へ開口したスライドチャンバ１１を含み、前記スライドチャンバ１１の中には引き出し１２がスライドできるように設置され、前記引き出し１２の前端面の中には制御ブロック２１が固定的に設置され、前記引き出し１２の下端にはスライド溝１４が形成されており、前記引き出し１２の左右端にはガイドブロック１５が固定的に設置され、前記スライドチャンバ１１の両側には回転チャンバ１６が対称的に連通するように設置され、前記回転チャンバ１６の中には前記引き出し１２の位置を固定できるロック装置２００が設置され、前記引き出し１２の中には物置きチャンバ１３が設置され、前記物置きチャンバ１３の後端壁の中にはＬＥＤライト３２が固定的に設置され、前記ＬＥＤライト３２の上端には通電ブロック３１が通電できるように連結され、前記スライドチャンバ１１の上端壁の中には推しチャンバ２３が連通するように設置され、前記推しチャンバ２３の中には親ネジ２４が回転できるように設置され、前記親ネジ２４には推しブロック２７がネジ山によって連結され、前記推しブロック２７の中には前記通電ブロック３１と通電できるように連結された導電線３０が設置され、前記導電線３０の上側には前記導電線３０と通電できるように連結された電気接続ブロック２８が固定的に設置され、前記推しチャンバ２３の前端壁の中には蓄電池２５が固定的に設置され、前記蓄電池２５が前記電気接続ブロック２８と連結でき、前記推しチャンバ２３の後端壁の中には空き溝３３が連通するように形成されており、前記親ネジ２４の後端が前記空き溝３３の中に伸びており、また前記親ネジ２４の後端には第一ベベルギヤ３４が固定的に設置され、前記空き溝３３の中には前記第一ベベルギヤ３４と噛み合っている第二ベベルギヤ３５がスプライン軸３６によって回転できるように設置され、前記スライドチャンバ１１の後側には駆動装置３００が設置され、上下の前記スプライン軸３６のうち互いに近接している一端が前記駆動装置３００と動力が伝達できるように連結され、前記制御ブロック２１は指令を受けた後に前記駆動装置３００を制御して作動させ、前記駆動装置３００は前記引き出し１２を開ける又は閉めることと前記ＬＥＤライト３２をつける又は消すことを駆動する。
【００１５】
有益なように、前記電気接続ブロック２８には上下対称の電源挿入ブロックが通電できるように設置され、前記蓄電池２５の中には上下対称の電気接続溝が通電できるように形成されており、電源挿入ブロックが電気接続溝に差し込んで連結された時、前記電気接続ブロック２８と前記蓄電池２５とが通電する。
【００１６】
実施例によって、以下、前記ロック装置２００について詳しく説明し、前記ロック装置２００は前記回転チャンバ１６の中に回転できるように設置された回転ロッド１８を含み、前記回転ロッド１８の中には貫通溝２２が形成されており、前記回転チャンバ１６のうち互いに離れている片側にはガイド溝１７が形成されており、前記ガイドブロック１５のうち互いに離れている一端が前記貫通溝２２を貫通して前記ガイド溝１７とスライドできるように連結され、前記回転ロッド１８の後端と前記回転チャンバ１６との間には回転ばね５８が固定的に設置され、前記回転チャンバ１６の間には連通溝１９が連通するように形成されており、前記連通溝１９の中には左右両端がそれぞれ左右両側の前記回転ロッド１８と固定的に連結された連結軸２０が回転できるように設置され、前記回転ロッド１８の後端面には固定フック５７が固定的に設置され、前記回転チャンバ１６の後端壁の中にはロックチャンバ５３が連通するように設置され、前記ロックチャンバ５３の中には前記固定フック５７と引っ掛かるように連結されたロックフック５４が回転できるように設置され、前記ロックフック５４の上端面には固定ブロック５５が固定的に設置され、前記ロックチャンバ５３の後側には空きチャンバ５０が連通するように設置され、前記空きチャンバ５０の中には前端が前記回転チャンバ１６の中に伸びているスライドブロック５２がスライドできるように設置され、前記スライドブロック５２の前端と前記固定ブロック５５との間には圧縮ばね５６が固定的に設置され、前記空きチャンバ５０の中には上端が前記スライドブロック５２と回転できるように連結された回転板５１が回転できるように設置され、左右の前記空きチャンバ５０の下側にはそれぞれ推し溝４８が連通するように形成されており、前記推し溝４８の前端の間には圧縮溝４４が連通するように形成されており、前記圧縮溝４４の中には後方に開口したＵ型ロッド４６がスライドできるように設置され、前記Ｕ型ロッド４６の左右両端がそれぞれ左右両側の前記推し溝４８とスライドできるように連結され、また前記Ｕ型ロッド４６の後端と左右の前記推し溝４８との間にはそれぞれトーションばね４９が固定的に設置され、前記圧縮溝４４の中には上端が前記スライド溝１４の中に伸びている圧力かけブロック４３がスライドできるように設置され、前記圧力かけブロック４３の下端と前記圧縮溝４４の下端壁との間には押圧ばね４７が固定的に設置され、前記圧力かけブロック４３の下端が前記Ｕ型ロッド４６の前端とコンロッド４５によって回転できるように連結され、前記圧力かけブロック４３が下降して伝動によって前記ロックフック５４が前記固定フック５７から離脱し、それによって前記回転ロッド１８を開錠できる。
【００１７】
有益なように、前記ロックフック５４の後端面は圧力受け斜面構造であり、前記スライドブロック５２の前端が加圧斜面構造であり、加圧斜面が圧力受け斜面と当接するように連結され、それによって前記スライドブロック５２が前方へ移動すると、前記ロックフック５４が回転して前記固定フック５７との連結から離脱することができる。
【００１８】
実施例によって、以下、前記駆動装置３００について詳しく説明し、前記駆動装置３００は移動チャンバ４０を含み、前記移動チャンバ４０の中には移動ブロック４１がスライドできるように設置され、前記移動ブロック４１の中には前記制御ブロック２１に制御されるモーター４２が固定的に設置され、前記モーター４２の上下端にはそれぞれネジ軸３８が動力が伝達できるように連結され、前記移動チャンバ４０の上下端壁の中にはネジ溝３９が連通するように形成されており、前記ネジ溝３９と前記空き溝３３との間には連通チャンバ３７が連通するように設置され、前記ネジ軸３８のうち前記移動ブロック４１から離れている一端が前記ネジ溝３９を貫通して前記連通チャンバ３７の中に伸びており、上下の前記スプライン軸３６のうち互いに近接している一端が前記連通チャンバ３７の中に伸びて前記ネジ軸３８とスプラインによって連結されることができ、前記モーター４２が作動してそれぞれ上下の前記移動引き出し装置１００を駆動して独立に作動させる。
【００１９】
有益なように、前記ネジ軸３８が前記ネジ溝３９とネジ山によって連結され、それによってモーター４２が作動して前記ネジ軸３８を駆動して回転させる過程には、前記移動ブロック４１が上方へ又は下方へ移動できる。
【００２０】
以下、図１〜５をあわせて本出願のインテリジェント引出しキャビネットの使用ステップについて詳しく説明する：
【００２１】
初期状態の時、固定フック５７がロックフック５４と引っ掛かるように連結され、回転ばね５８が圧縮状態にある。
【００２２】
上側又は下側の引き出し１２を開けた時、音声で始動して引き出し１２にある制御ブロック２１に指令を出し、上側の引き出し１２を開けると、モーター４２が時計回り方向に回転してネジ軸３８を駆動して回転させ、ネジ溝３９の作用の下で移動ブロック４１が上方へ移動し、それによってネジ軸３８がスプライン軸３６とスプラインによって連結され、モーター４２がスプライン軸３６を駆動して回転させ、それによって第一ベベルギヤ３４が親ネジ２４を回転連動させ、それによって推しブロック２７が前方へ推しチャンバ２３の前側の極限位置に移動し、それによって引き出し１２の下端壁が圧力かけブロック４３に圧力をかけて下降させ、コンロッド４５によってＵ型ロッド４６が後方へ移動し、回転板５１によってスライドブロック５２が前方へ移動し、圧縮ばね５６の作用の下でロックフック５４を推し動かして前方へ移動させ、ロックフック５４が前方へ極限位置に移動した時、スライドブロック５２の継続の前方への移動と共に、ロックフック５４が右側面から見る時計回り方向に回転して固定フック５７との引っかかりから離脱し、それによって回転ロッド１８が回転ばね５８の作用の下で右側面から見る反時計回り方向に回転し、それによって引き出し１２をそれとともに外部空間に押し出し、この時、電気接続ブロック２８が蓄電池２５と差し込んで連結され、導電線３０によって通電ブロック３１が通電し、それによってＬＥＤライト３２が光って物置きチャンバ１３を照明でき、物置きチャンバ１３の中の物品を探す又は取ることに便利を与える。
【００２３】
引き出し１２を閉めた時、モーター４２が反転し、それによって親ネジ２４が反時計回り方向に回転し、それによって推しブロック２７が引き出し１２を推し動かして後方へ移動させ、ＬＥＤライト３２を消し、回転ロッド１８が初期位置に回転し、固定フック５７とロックフック５４とが引っ掛かるように連結されたことによって回転ロッド１８をロックし、装置は初期状態に戻る。
【００２４】
本発明の有益な効果は：本発明は構造が簡単で、操作が便利であり、制御ブロックによってモーターに異なる引き出しを開ける又は閉めることを駆動させ、引き出しが開けられた時、ＬＥＤライトは自動的につけられて照明でき、引き出しの中の物品を取ることに便利を与え、また引き出しが閉められた時にＬＥＤライトも消され、引き出しが閉められた後にキャビネット主体とロックされるように連結され、装置の安定性を高め、使用は便利である。
【００２５】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。